(57)【要約】【課題】  使用者の体が接触する種々の部分を対象として用いることができ、かつ使用者の姿勢にかかわらず体圧分散効果を発揮できるクッションを提供すること。【解決手段】  可撓性を備えたフィルムを用いて、左右および前後に配置された複数のセル１２と、複数のセル１２のうちの隣接するセル１２どうしを連通する複数の連通路１３とを備えたクッション本体１１を形成した。また、クッション本体１１におけるセル１２と連通路１３とで囲まれる部分に上下に貫通する穿孔部１４を形成した。そして、クッション本体１１の内部に水１６を封入した。【選択図】  図１
2014108318.tif 000002
【特許請求の範囲】
【請求項１】
左右および前後に配置された複数の収容部と、前記複数の収容部のうちの隣接する収容部どうしを連通する複数の連通路とが形成された可撓性を備えたフィルムからなるクッション本体と、
前記クッション本体の内部に封入された流体とを備えたクッションであって、
前記収容部と前記連通路とで囲まれる部分に上下に貫通する穿孔部が形成されていることを特徴とするクッション。
【請求項２】
前記クッションの平面視による外郭部を、最小の矩形または円形を形成する仮想線で囲ったときの前記仮想線の内部の面積に対する、前記仮想線の内部の面積から前記クッションの面積を除いた部分の面積を１５％〜４５％に設定した請求項１に記載のクッション。
【請求項３】
前記収容部の平面視による内径の等価直径を２０ｍｍ〜１５０ｍｍに設定した請求項１または２に記載のクッション。
【請求項４】
前記連通路の内部の幅の長さを前記収容部の内径に対応する等価直径で除した値を、０．１〜０．４に設定した請求項１ないし３のうちのいずれか一つに記載のクッション。
【請求項５】
二枚の軟質のフィルムを重ねて、前記複数の収容部と前記複数の連通路とを形成する部分の周縁部を、供給口を形成するための一部を除いて溶着によって接合するとともに、前記穿孔部を形成する部分を切断除去して、前記供給口を備えたクッション本体を形成し、前記供給口から、前記クッション本体内に前記流体を供給したのちに、前記供給口を溶着によって閉塞することにより構成された請求項１ないし４のうちのいずれか一つに記載のクッション。
【発明の詳細な説明】
【技術分野】
【０００１】
本発明は、寝具、椅子、枕、背もたれ等に用いられ使用者に対する接触圧を分散できるクッションに関する。
【背景技術】
【０００２】
従来から、例えば、寝具の中には、液体が封入されたクッションを寝具の上面や内部に設置して、使用者の体圧を分散させることによって、床ずれを防止したり、快適な睡眠がとれるようにしたりするものがある（例えば、特許文献１参照）。このクッションは、上下２枚の柔軟な合成樹脂シートを熱溶着して内部に液体を収容可能な収容空間を形成したクッション本体と、収容空間を所定位置に応じた大きさの領域に区分けする堰部と、堰部で区分けされた領域間で液体を流入または流出させるオリフィス部とを備えている。そして、クッション本体の所定の領域に液体を収容し、他の領域に軟質部材や空気等を収容している。
【０００３】
しかしながら、前述した従来のクッションは、椅子の座面に設置されたときに使用者の臀部に合った形状になるように形成されていたり、寝具のマットレスに設置されたときに使用者が仰向けに寝るときの体形に合った形状になるように形成されていたりしている。このため、１つのクッションを使用できる対象に制限があり、設計時に想定されたポジションで使用することが効果の前提となっている。また、体形に関係なく一定の形状に形成されたクッションも開発されている（特許文献２参照）。このクッション（水性液体収容バッグ）は、四角形のプラスチックシートを重ね合わせてその外周部を融着させるとともに、内部に格子状の融着帯を設けて複数の独立した室を形成することにより構成されている。そして、融着帯における隣接する室の角部に位置する部分に不連続部を設けることによって、各室を連通している。これによって、使用者の体形に応じて内部に収容された液体が各室の間で移動してクッションは変形することができる。
【先行技術文献】
【特許文献】
【０００４】
【特許文献１】特開２０１１−１５２１９１号公報
【特許文献２】特開２０００−２１７６８５号公報
【発明の概要】
【０００５】
しかしながら、このクッションでは、四角形に形成された内部における格子状の融着帯を除いた部分すべてに液体が位置しているため、液体の移動がスムーズに行われず、使用者の体形に対する追従性が満足なものではなかった。また、このクッションを、寝具用のクッションとして用いる場合、使用者が仰向けの姿勢以外の横向きや上半身を起こした姿勢になったときには、体圧を分散させる効果を充分に発揮することはできない。
【０００６】
本発明は、前述した問題に対処するためになされたもので、その目的は、使用者が寝たり座ったりする際に、体が接触する種々の部分を対象として用いることができ、かつ使用者の姿勢や使用者のポジション（位置）にかかわらず体圧分散効果を発揮できるクッションを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係るクッションの構成上の特徴は、左右および前後に配置された複数の収容部（１２，２２，３２，４２，５２，６２）と、複数の収容部のうちの隣接する収容部どうしを連通する複数の連通路（１３，２３，４３，５３，６３）とが形成された可撓性を備えたフィルムからなるクッション本体（１１，２１，３１，４１，５１，６１）と、クッション本体の内部に封入された流体（１６，２６，３７）とを備えたクッション（１０，２０，３０，４０，５０，６０）であって、収容部と連通路とで囲まれる部分に上下に貫通する穿孔部（１４，２４，４４，５４，６４）が形成されていることにある。
【０００８】
本発明に係るクッションには、複数の収容部と、隣接する収容部どうしを連通する連通路とで構成されるクッション本体が備わっており、このクッション本体における収容部と連通路とで囲まれる部分に上下に貫通する穿孔部が形成されている。このように、穿孔部を設けたためクッションの硬さが緩和されて、使用者の体に対する追従性が増すようになる。例えば、穿孔部が形成されてなく、クッション本体における収容部と連通路とで囲まれる部分にクッション本体を構成するフィルムが位置しているとすると、その部分が板を張ったように硬くなり、使用者の体に沿って変形し難くなる。
【０００９】
これに対し、本発明に係るクッションは、穿孔部を設けることによって、使用者の体に沿って容易に変形するようになり、クッションと体との接触面積が増すことによって、使用の際に体圧が適度に分散されるようになる。これによって、クッションを寝具で用いた場合には、床ずれの発生を防止できるとともに、快適な睡眠が可能になる。また、クッションを枕に組み付けて使用した場合にも、快適な睡眠が可能になる。さらに、クッションを椅子に組み付けて使用した場合には、座り心地のよい椅子を得ることができる等、クッションを種々の方法で使用できるとともに、その使用に応じた効果を奏することができる。
【００１０】
また、このクッションは、使用者の体の特定の部分に合わせた形状になってなく、体のどの部分にでも追従して変形できるように形成されているため、寝具で用いた場合に、使用者の姿勢や体の向きやポジション（位置）に関係なく体圧分散効果を発揮できる。また、腰部や臀部等の体の中央部分だけでなく、肩や足等の部位に対しても適用できる。さらに、穿孔部を設けたことにより、クッションを連通路の部分で折り曲げ易くなる。これによって、不使用時の収納が容易になるとともに、持ち運びも容易になる。
【００１１】
また、クッション本体に収容する流体としては、液体を用いることが好ましいが、固体や気体を用いることもできる。また、液体、固体、気体をそれぞれ単体で用いる他、任意に組み合わせて用いることもできる。液体としては、水やエチレングリコール等を用いることができ、水を用いると安価につき、エチレングリコールを用いると粘性を高める機能を付加することができるとともに、低温時に凍ることを防止できる。また、人体に無害な溶質であれば、他の溶質を用いてもよいし、それらの溶質を混合した混合液を用いてもよい。固体としては、粉体やビーズ等を用いることができる。
【００１２】
気体としては空気を用いることができ、これによると安価につくとともに、クッションの軽量化が図れる。さらに、これらの流体に加えて、スポンジのような可撓性を備えた弾性体や多孔質体からなる部材を収容部の内部に封入したり、収容部の内面に層状に張り付けたりすることもできる。なお、クッション本体に収容する流体としては、粘性係数が１．８×１０-5Ｐｓ・ｓ（空気相当）〜３．０×１０-2Ｐｓ・ｓ（エチレングリコール相当）の範囲のものを用いることが好ましい。また、収容部の平面視による形状は、円形、楕円形、三角形、四角形、それ以上の多角形、星形等種々の形状にすることができる。なお、本発明における左右および前後に配置された複数の収容部は、規則正しく整列された収容部だけでなく、ランダムに配置された収容部も含み、所定の面積を持った範囲の中に配置されている収容部の意味である。
【００１３】
また、本発明に係るクッションの他の構成上の特徴は、クッションの平面視による外郭部を、最小の矩形または円形を形成する仮想線（ａ）で囲ったときの仮想線の内部の面積に対する、仮想線の内部の面積からクッションの面積を除いた部分（１４，１４ａ）の面積を１５％〜４５％に設定したことにある。
【００１４】
この場合の仮想線は、複数の収容部が左右前後に格子状に形成されて全体として四角形になっている場合には、クッションの外周縁部の最も外部側に位置する点を直線で結んだときに形成される矩形を形成する線であり、複数の収容部が全体として円状に形成されている場合には、クッションの外周縁部の最も外部側に位置する点を曲線で結んだときに形成される円形を形成する線である。また、この円形には楕円形も含まれるものとする。仮想線の内部の面積からクッションの面積を除いた部分の面積には、穿孔部の面積と、仮想線とクッションの外周縁部との間に位置する部分の面積とが含まれる。本発明によると、適度な面積の穿孔部を備えることにより大きな効果を奏することのできるクッションを得ることができる。なお、仮想線の内部の面積からクッションの面積を除いた部分の面積は、仮想線の内部の面積の２０％〜４０％にすることがより好ましく、最も好ましいのは２５％〜３５％に設定することである。
【００１５】
本発明に係るクッションのさらに他の構成上の特徴は、収容部の平面視による内径の等価直径を２０ｍｍ〜１５０ｍｍに設定したことにある。
【００１６】
この場合の等価直径とは、面積を３．１４で除した値の平方根の２倍の値とする。このため、言い換えると、収容部の平面視による面積は、３１０ｍｍ2〜１７６６０ｍｍ2程度となる。したがって、収容部の形状を円形以外のどのような形状に形成しても、収容部の大きさを好ましい範囲の大きさにすることができる。本発明によると、各収容部が、使用者の体に沿って変形できる適度の大きさに形成されたクッションを得ることができる。
【００１７】
本発明に係るクッションのさらに他の構成上の特徴は、連通路の内部の幅の長さを収容部の内径に対応する等価直径で除した値を、０．１〜０．４に設定したことにある。本発明によると、流体が所定の収容部から他の収容部に流れる際に、適度な抵抗を受けるように連通路の幅を設定することができる。これによって、流体が各収容部間で適度の速度で移動しながら、使用者の体に沿って変形し、クッションと体との接触面積が増加することにより、使用者に対する接触圧を平均化できるクッションを得ることができる。
【００１８】
また、本発明に係るクッションのさらに他の構成上の特徴は、二枚の軟質のフィルムを重ねて、複数の収容部と複数の連通路とを形成する部分の周縁部を、供給口（１５）を形成するための一部を除いて溶着によって接合するとともに、穿孔部を形成する部分を切断除去して、供給口を備えたクッション本体を形成し、供給口から、クッション本体内に流体を供給したのちに、供給口を溶着によって閉塞することにより構成されたことにある。
【００１９】
本発明によるとクッションの製造が容易になる。また、二枚のフィルムを重ねて溶着することにより、クッション本体を形成する場合には、本発明のように穿孔部を設ける場合と設けない場合とでクッションの体圧分散の効果にさらに大きな差が生じる。すなわち、穿孔部がなく、クッション本体における収容部と連通路とで囲まれる部分にクッション本体を構成する二枚の溶着されたフィルムが位置しているとすると、その部分は分厚く、かつ硬くなり、使用者の体に沿って変形し難くいものになるが、穿孔部を設けることによって、クッションは使用者の体に沿って容易に変形するようになる。
【図面の簡単な説明】
【００２０】
【図１】本発明の第１実施形態に係るクッションを示した平面図である。
【図２】図１の２−２断面図である。
【図３】クッション本体を示した平面図である。
【図４】収容部と連通路との大きさの関係を説明する説明図である。
【図５】本発明の第２実施形態に係るクッションを示した平面図である。
【図６】図５の６−６断面図である。
【図７】本発明の第３実施形態に係るクッションの要部を示した断面図である。
【図８】本発明の第４実施形態に係るクッションの概略を示した平面図である。
【図９】本発明の第５実施形態に係るクッションの概略を示した平面図である。
【図１０】本発明の第６実施形態に係るクッションの概略を示した平面図である。
【発明を実施するための形態】
【００２１】
（第１実施形態）
以下、本発明の第１実施形態を図面を用いて説明する。図１および図２は、同実施形態に係るクッション１０を示している。図１は、クッション１０を上方から見た状態を示しており、以下の説明において、前後（紙面の下側が前方で上側が後方）、左右、上下の各方向は、図１に基づいたものとする。このクッション１０は、ＥＶＡ（エチレン−酢酸ビニル共重合体）のフィルムからなるクッション本体１１の内部に水１６を密閉状態で収容して構成されている。クッション本体１１は、図３に示したように構成されており、製造時には、２個１組で成形され、その後、２つに切断される。なお、２つに切断せずにそのまま使用する場合もある。
【００２２】
このクッション本体１１は、本発明に係る収容部を構成する平面視による形状が円形のセル１２と、各セル１２の内部間を連通する連通路１３とで構成されており、セル１２は、前後に３個並んだ列が、左右に４列設けられて合計１２個が一定間隔で配置されている。また、それぞれの隣接するセル１２を１７個の連通路１３が連通している。そして、セル１２と連通路１３とで囲まれる６か所の部分に、それぞれ上下に貫通する穿孔部１４が形成されている。この穿孔部１４は、菱形の各辺を内部側に湾曲させた略菱形に形成されている。
【００２３】
また、角部に位置する所定のセル１２、すなわち、図３の前側のクッション本体１１の後部左端のセル１２と、図３の後側のクッション本体１１の前部左端のセル１２との左端にはそれぞれ左側に延びる供給口１５が形成されている。また、各セル１２と各連通路１３との境界部には、それぞれＲが設けられて角部ができないようにしている。このように構成されたクッション本体１１の内部に水１６を入れ、供給口１５を閉塞することによってクッション１０が構成されている。クッション本体１１の内部に水１６を入れることによって、各セル１２は上下面がそれぞれ曲率の小さなドーム状になって外部側に突出した形状になっている。
【００２４】
クッション１０は、前後の長さが３００ｍｍ、左右の長さが４００ｍｍ、セル１２の最大厚みの部分の厚みが２０ｍｍに設定されている。また、各セル１２の内径は９０ｍｍ、外径は１００ｍｍにそれぞれ設定され、連通路１３の内部の幅は２０ｍｍ、外部の幅は３０ｍｍにそれぞれ設定されている。そして、２つのセル１２の中心部間の長さであるピッチは、９８ｍｍに設定されている。また、また、図１に示したように、クッション１０の外周部に接するようにして四角形の仮想線ａを引いたときの仮想線ａ内の面積に対する穿孔部１４の面積と、仮想線ａとクッション１０の外周縁部との間の部分１４ａの面積との合計面積は、３０％に設定されている。また、クッション本体１１を構成するＥＶＡフィルムの厚みは、０．６ｍｍに設定されている。
【００２５】
なお、本実施形態では、各部分の寸法等を前述のようにしているが、この寸法等は下記のようにすることができる。セル１２の内径は、２０ｍｍ〜１５０ｍｍの範囲で任意に設定することができる。また、セル１２の最大厚みの部分の厚みは、５ｍｍ〜４０ｍｍの範囲にすることが好ましい。さらに、連通路１３の内部の幅は、セル１２の内径に関連づけて設定することが好ましく、図４に示したように、セル１２の内径をＤ、連通路１３の内部の幅をＷとしたときに、Ｗ／Ｄの値が０．１〜０．４の範囲になるように設定することが好ましい。また、２つのセル１２の中心部間の長さであるピッチをＰとしたときに、Ｐ／Ｄの値が０．９〜１．５の範囲になるように設定することが好ましい。なお、クッション１０では、Ｐ／Ｄの値は１．１に設定されている。また、本実施形態では、仮想線ａ内の面積に対する穿孔部１４と部分１４ａとの合計面積を３０％にしているが、この面積は、１５％〜４５％の範囲で設定することが好ましい。
【００２６】
つぎに、クッション１０の製造方法について説明する。この場合、まず、前後方向の長さが６２０ｍｍ、左右方向の長さが４５０ｍｍ程度の２枚のＥＶＡフィルムを準備して、重ね合わせる。ついで、この２枚のＥＶＡフィルムにおけるセル１２、連通路１３および供給口１５を形成する部分の外周部を高周波溶着によって接合して幅が５ｍｍの接合部１１ａを形成する。その後、接合部１１ａにおける外周縁部と、接合部１１ａにおける穿孔部１４を形成する部分の内周縁部とを切断刃で切断する。
【００２７】
この場合、二つのクッション本体１１を接続する接続部１１ｂは残して、二つのクッション本体１１が連結された図３の状態にする。また、供給口１５の端部は溶着せず開口した状態にしておく。そして、供給口１５からクッション本体１１内に水１６を供給したのちに、供給口１５を高周波溶着で接合することによって閉塞する。その状態で、接続部１１ｂを切断することにより、２つのクッション１０が得られる。なお、接続部１１ｂを切断する際に、供給口１５や接続部１１ｂの余分な部分は除去する。
【００２８】
そして、このクッション１０を複数の弾性体（マットレス）を備えた寝具で使用する場合には、複数の弾性体の間に設置したり、寝具の上に設置したりする。この場合、寝具における腰部や臀部が位置する部分に局部的にクッション１０を設置することができる。クッション１０を寝具を構成する弾性体間に設置する場合には、クッション１０を設置する寝具における腰部が位置する部分やその近傍部分に、例えば、四角形の凹部を設けて、その凹部にクッション１０を設置し、その上に他の弾性体を載せて寝具を構成する。これにより、クッション１０が位置ずれすることを防止できる。また、クッション１０を寝具の上に設置する場合にも、寝具における腰部が位置する部分やその近傍部分に、凹部を設けて、その凹部にクッション１０を設置し、その上にシート状のものを被せることが好ましい。
【００２９】
これによると、使用者が寝具に寝た時に、クッション１０が使用者の腰部や臀部の形に追従して変形し、クッションと体との接触面積が増大するため、体圧が分散されるようになる。この結果、長期間寝ていても、使用者の腰部や臀部の一部に大きな負担がかかってその部分に床ずれができたりすることを予防・改善する。また、使用者が横向きの姿勢になったり上半身を起こした姿勢になったりしても、クッション１０は、そのときの使用者の腰部や臀部の形状に追従して変形する。また、クッション１０は１個だけでなく、複数個を使用することができ、この場合、複数個のクッション１０を平面状に並べてもよいし、重ねてもよい。また、複数のクッション１０は整列させてもよいし、整列させなくてもよい。
【００３０】
また、クッション１０を椅子やソファ等、着座するもので使用する場合には、座面にクッション１０を設置して、その上をシート状のもので覆うことが好ましい。この場合、クッション１０は、使用者の臀部の形状に追従して変形するため、接触圧が分散されて、座り心地が良好になる。また、このクッション１０は、背もたれに取り付けて使用することもでき、この場合、クッション１０は、使用者の背中の形状に追従して変形するため、接触圧が分散されて、座り心地が良好になる。さらに、このクッション１０は、枕に組み付けて使用することもでき、この場合、枕カバーでクッション１０に位置ずれが生じないようにする。この場合、クッション１０は、使用者の頭部の形状に追従して変形するため、接触圧が分散されて、快適な睡眠ができるようになる。クッション１０は、それ以外にも、アームレスト、フットレスト、座布団等身体に接触するあらゆるクッションとして使用することもできる。
【００３１】
つぎに、寝具において、クッション１０を使用した場合と、クッション１０を使用しない場合とにおける使用者の接触圧力を比較するテストを行った。その結果を、下記の表１に示した。このテストは、密度と硬さの異なるウレタン４層からなるマットレスを用い、比較例ではクッション１０を使用せず、そのマットレスだけを使用して総厚みを１０５ｍｍにした。また、実施例１では、マットレスの中間層に位置するように複数のクッション１０を平面状に並べて組み合わせ、実施例２では、マットレスの中間層に位置するように２個のクッション１０が重なるようにして複数のクッション１０を組み合わせた。実施例１ではマットレスの重さによりクッション１０の厚みは１４ｍｍになり、実施例２ではマットレスの重さによりクッション１０の厚みは２６ｍｍになった。
【００３２】
また、クッション１０は、マットレスにおける臀部が位置する部分を中心として幅が６０ｃｍで長さが４０ｃｍになるように配置した。そして、センサを用いて、マットレスに被験者が寝たときの臀部の接触平均圧力と接触圧力ピーク値（ｍｍＨｇ）とを測定した。また、被験者は、身長が１７２ｃｍ、体重が６１ｋｇでスウェットにジャージを着衣してテストを行った。測定は、臥床直後から５分間行い、圧力値が安定した３分後のデータを採用した。また、表１におけるＡは、寝具の腰部より上半身部分をギャッジアップして６０度傾斜させたときの結果を示し、Ｂは被験者が横向きの姿勢になった側臥位のときの結果を示し、Ｃは被験者が仰向けの姿勢になった仰臥位のときの結果を示している。また、表１に示したテスト結果は、クッション１０を使用しない比較例の結果に対する実施例１，２のそれぞれの結果の減少率を％で示している。
【００３３】
【表１】
2014108318.tif 000003
【００３４】
この結果、表１に示したＡギャッジアップの状態では、実施例１，２ともに、比較例よりも接触平均圧力および接触圧力ピーク値が減少している。接触平均圧力は実施例１で２．５１％減少し、実施例２では４１．１１％と大幅に減少している。また、接触圧力ピーク値は、実施例１で４．２４％減少し、実施例２では３６．５０％と大幅に減少している。このことから、ギャッジアップして被験者が上半身を起こした状態では、クッション１０を用いることにより、臀部の接触圧力が局部に集中することを低減でき、さらにクッション１０を重ねて使用することによりその効果はさらに大きくなることが分かる。
【００３５】
つぎに、表１に示したＢ側臥位の状態では、実施例１，２ともに、比較例よりも接触平均圧力および接触圧力ピーク値の双方が減少している。接触平均圧力は実施例１で１２．７０％と大幅に減少し、実施例２でも１２．５９％と大幅に減少している。また、接触圧力ピーク値は、実施例１で１４．６２％減少し、実施例２では９．３５％減少している。このことから、被験者が横向きの姿勢になって寝た状態では、クッション１０を用いることにより、臀部の接触圧力を低減できる。なお、クッション１０を重ねて使用してもその効果は同程度であることが分かる。
【００３６】
つぎに、表１に示したＣ仰臥位の状態では、実施例１，２ともに、比較例よりも接触平均圧力および接触圧力ピーク値が減少している。接触平均圧力は実施例１で１２．４９％と大幅に減少し、実施例２でも６．４６％と減少している。また、接触圧力ピーク値は、実施例１で２０．２９％と大幅に減少し、実施例２でも１３．５３％と大幅に減少している。このことから、被験者が仰向きの姿勢になって寝た状態では、クッション１０を用いることにより、臀部の接触圧力を低減できるが、クッション１０を重ねて使用するとその効果は重ねないときよりも小さくなることが分かる。
【００３７】
以上のように、本実施形態に係るクッション１０には、前後左右に配置された１２個のセル１２と、隣接するセル１２どうしを連通する連通路１３とで構成されるクッション本体１１が備わっており、このクッション本体１１におけるセル１２と連通路１３とで囲まれる部分に上下に貫通する穿孔部１４が形成されている。このように、穿孔部１４を設けたためクッション１０の硬さが緩和されて、使用者の体に対する追従性が増すようになり、クッション１０は使用者の体に沿って容易に変形する。この結果、クッションと体との接触面積が増大し、体圧が適度に分散されるようになり、クッション１０を寝具で用いた場合には、床ずれの発生を防止できるとともに、快適な睡眠が可能になる。また、このクッション１０を枕で使用した場合にも、快適な睡眠が可能になる。
【００３８】
さらに、クッション１０を椅子で用いた場合には、座り心地のよい椅子を得ることができる等、クッション１０は種々の方法で使用できるとともに、その使用に応じた効果を奏することができる。また、このクッション１０は、使用者の体のどの部分にでも追従して変形できるように形成されているため、寝具で用いた場合に、使用者の姿勢や体の向きに関係なく体圧分散効果を発揮できる。さらに、穿孔部１４を設けたことにより、クッション１０を連通路１３の部分で折り曲げ易くなる。これによって、不使用時の収納が容易になるとともに、持ち運びも容易になる。この場合、連通路１３の長さを長めに設定することにより、さらに折り曲げ易くなる。
【００３９】
また、クッション１０は、二枚の軟質のフィルムを重ねて、セル１２と連通路１３とを形成する部分の周縁部を溶着によって接合するとともに、穿孔部１４を形成する部分を切断除去して、供給口１５を備えたクッション本体１１を形成し、供給口１５から、クッション本体１１内に水を供給したのちに、供給口１５を溶着によって閉塞することにより構成されるため、製造が容易である。
【００４０】
（第２実施形態）
図５および図６は、本発明の第２実施形態に係るクッション２０を示している。このクッション２０は、複数の円形のセル２２と、各セル２２の内部間を連通する連通路２３と、セル２２と連通路２３とで囲まれた部分に形成された複数の穿孔部２４とで構成されており、セル２２は、前後に４個並んだ列が、左右に３列設けられて合計１２個が一定間隔で配置されている。すなわち、このクッション２０は、平面視による形状が、前述したクッション１０を水平面上で９０度回転した形状と略同じに形成されており、このクッション２０では供給口が形成されていた部分がセル２２の外周に沿って除去されている。また、このクッション２０の平面視による各部分の寸法もクッション１０と同じに設定されている。
【００４１】
このクッション２０では、クッション本体２１の底部を構成する下面部２１ａは平面状に形成され、上部を構成する上面部２１ｂは、１２個の凸面を備えた凹凸面状に形成されている。そして、クッション本体２１の内部には、エチレングリコール水溶液２６が密閉状態で収容されている。また、セル２２の最大厚みの部分の厚みは２０ｍｍに設定されている。このクッション２０を製造する際には、まず、クッション本体２１を形成するための２枚の高分子化合物からなる合成樹脂や生分解性樹脂等の可塑性軟質フィルムを準備して、そのうちの一方を真空吸引することによって、上面部２１ｂの凹凸に対応する凹凸面を備えた型に沿わせて凹凸のある形状にする。
【００４２】
つぎに、凹凸のある可塑性軟質フィルムが上方に位置するようにして、２枚の可塑性軟質フィルムを重ね合わせて、セル２２、連通路２３および供給口（図示せず）を形成する部分の外周部を高周波溶着によって固定して幅が５ｍｍの接合部２１ｃを形成する。ついで、接合部２１ｃにおける外周縁部と、穿孔部２４を形成する部分の内周縁部とを切断刃で切断する。これによって、下面部２１ａが平面で、上面部２１ｂが凹凸面になったクッション本体２１が形成される。そして、供給口からクッション本体２１内にエチレングリコール水溶液２６を供給したのちに、供給口を高周波溶着で接合して余分な部分を除去することによってクッション２０が得られる。このクッション２０のそれ以外の部分の構成および製造方法については、前述したクッション１０と同一である。
【００４３】
本実施形態に係るクッション２０によると、下面部２１ａが平面に形成されているため、クッション２０を安定した状態で設置できる。また、クッション本体２１の内部に、エチレングリコール水溶液２６を入れたため、粘度が大きくなり、使用者の姿勢の変化に対してクッション２０の変形が遅れて生じるようになる。このため、使用者は、体圧が分散されていく様子を感じ取れるようになりクッション２０の高級感が増す。このクッション２０のそれ以外の作用効果については、前述したクッション１０と同様である。
【００４４】
（第３実施形態）
図７は、本発明の第３実施形態に係るクッション３０の要部を示している。このクッション３０では、クッション本体３１におけるセル３２の内面に自然の状態での厚みが５ｍｍの層状のスポンジ３６が張り付けられており、セル３２の内部には、空気３７が充填されている。このクッション３０のそれ以外の部分の構成は、前述したクッション１０の対応する部分と同一である。したがって、同一部分に同一符号を記して説明は省略する。このように構成したため、クッション３０を軽量化することができる。また、スポンジ３６を設けることにより、クッション３０の形状に安定感を持たせることができる。このクッション３０のそれ以外の作用効果については、前述したクッション１０と同様である。したがって、同一部分に同一符号を記して説明は省略する。
【００４５】
（第４実施形態）
図８は、本発明の第４実施形態に係るクッション４０の概略を示している。このクッション４０は、前後に２個並んだ列が左右に３列に配置された６個のセル４２と、隣接する各セル４２を連通する７個の連通路４３とで構成されるクッション本体４１と、セル４２と連通路４３とで囲まれて形成された穿孔部４４と、クッション本体４１の内部に収容されたビーズ（図示せず）とで構成されている。そして、セル４２および連通路４３の平面視による形状はそれぞれ正方形に形成されている。また、セル４２の内部の１辺の長さは９０ｍｍに設定され、連通路４３の内部の幅は２０ｍｍに設定されている。このため、セル４２の内部の平面視による面積は８１００ｍｍ2になり、これを３．１４で除した値の平方根は略５０ｍｍになる。このため、セル４２の等価直径は略１００ｍｍになる。
【００４６】
なお、本実施形態においても、セル４２の等価直径は、２０ｍｍ〜１５０ｍｍの範囲で設定することが好ましい。また、連通路４３の内部の幅も、セル４２の等価直径をＤ、連通路４３の内部の幅をＷとしたときに、Ｗ／Ｄの値が０．１〜０．４の範囲になるように設定することが好ましい。さらに、２つのセル４２の中心部間の長さであるピッチをＰとしたときに、Ｐ／Ｄの値が０．９〜１．５の範囲になるように設定することが好ましい。また、クッション４０を囲う仮想線（図示せず）内の面積に対する穿孔部４４等の空間部分の面積は、１５％〜４５％の範囲で設定することが好ましい。
【００４７】
このクッション４０も前述したクッション１０，２０，３０と同様の方法で使用することができるが、クッション本体４１内にビーズを入れているため、特に、枕に組み合わせて使用することにより、クッション４０本来の効果に加えて、マッサージ効果も生じる。このクッション４０のそれ以外の作用効果については、前述したクッション１０等と同様である。
【００４８】
（第５実施形態）
図９は、本発明の第５実施形態に係るクッション５０の概略を示している。このクッション５０は、前述したクッション４０におけるセル４２に代えて平面視が円形のセル５２を備えた形状をしている。すなわち、クッション本体５１が、円形の６個のセル５２と、隣接する各セル５２を連通する７個の連通路５３とで構成されており、セル５２と連通路５３とで囲まれた部分には２つの穿孔部５４が形成されている。そして、クッション本体５１の内部には、ウレタン粒子からなる粉体と水との混合物が収容されている。このクッション５０のそれ以外の部分の構成は、前述したクッション４０と同一である。
【００４９】
このクッション５０によると、製造の際に、粉体と水との混合比を任意に変更することができる。このため、使用目的にあった粘性を備えた混合物が充填されたクッション５０を得ることができる。このクッション５０のそれ以外の作用効果については、前述したクッション４０と同様である。
【００５０】
（第６実施形態）
図１０は、本発明の第６実施形態に係るクッション６０の概略を示している。このクッション６０は、８個のセル６２と、隣接する各セル６２を連通する８個の連通路６３とで構成されるクッション本体６１と、セル６２と連通路６３とで囲まれた部分に形成された穿孔部６４と、クッション本体６１の内部に収容された空気とエチレングリコール水溶液との混合物（図示せず）とで構成されている。セル６２は、左右に並んだ３個からなる列が前後に間隔を保って２列配置された６個のセル６２と、その２列の間に、左右方向の位置をずらして配置された２個のセル６２とがそれぞれ等間隔になるようにして配置されている。
【００５１】
そして、連通路６３は、２列の間に配置された２個セル６２と、そのそれぞれのセル６２を囲うように配置されたそれぞれ４個のセル６２とを連通するように配置されている。このクッション６０に備わっているセル６２は、クッション５０に備わっているセル５２と同じ大きさに形成され、クッション６０に備わっている連通路６３は、クッション５０に備わっている連通路５３と同じ大きさになっている。したがって、クッション６０は、セル６２の数が多い分、クッション５０よりも大きくなっている。このクッション６０のそれ以外の部分の構成は、前述したクッション５０と同一である。
【００５２】
このクッション６０によると、クッション本体６１内に収容する流体として、粘性係数の大きいエチレングリコール水溶液を用いながら、クッション６０の重量が重くなることを防止できる。このクッション６０のそれ以外の作用効果については、前述したクッション１０等と同様である。
【００５３】
また、本発明に係るクッションは、前述した各実施形態に限定するものでなく適宜、変更して実施することができる。例えば、前述した第１実施形態では、流体として水１６を用いているが、この水１６に代えて、他の液体、固体または気体を用いてもよいし、それらを組み合わせて用いてもよい。同様に、他の実施形態においても、これらを任意に選択して使用することができる。また、セル１２，４２等の形状についても、円形や四角形に限らず、楕円形、三角形、他の多角形、星形等種々の形状にすることができ、セルの個数も適宜変更することができる。さらに、本発明に係るクッションのそれ以外の部分についても、本発明の技術的範囲内で適宜変更して実施することができる。
【符号の説明】
【００５４】
１０，２０，３０，４０，５０，６０…クッション、１１，２１，３１，４１，５１，６１…クッション本体、１２，２２，３２，４２，５２，６２…セル、１３，２３，４３，５３，６３…連通路、１４，２４，４４，５４，６４…穿孔部、１４ａ…部分、１５…供給口、１６…水、２６…エチレングリコール水溶液、３６…スポンジ、３７…空気、ａ…仮想線。
【図１】
2014108318.tif 000004
【図２】
2014108318.tif 000005
【図３】
2014108318.tif 000006
【図４】
2014108318.tif 000007
【図５】
2014108318.tif 000008
【図６】
2014108318.tif 000009
【図７】
2014108318.tif 000010
【図８】
2014108318.tif 000011
【図９】
2014108318.tif 000012
【図１０】
2014108318.tif 000013